(57)【要約】    【課題】ディスペンサーとボトルとの間に装着でき、ディスペンサーの誘導管に付着している液体の除去が促されるスペーサー２の提供。    【解決手段】この高粘度液体用容器のスペーサー２は、このスペーサー２は、筒体４と通し口６とを備えている。この筒体４は、ボトル嵌合部８と、ポンプ嵌合部１０とを備えている。このポンプ嵌合部１０は、ボトル嵌合部８の上に位置している。この通し口６は、この筒体４の側面に位置している。この通し口６は、この筒体４の上部から下部までが一続きとされている。このスペーサー２では、通し口６のボトル側開口幅に対するポンプ側開口幅の比は、１．０以上３．０以下である。このスペーサー２では、ポンプ側開口幅は、５ｍｍ以上３０ｍｍ以下である。【選択図】図１
2006264729.tif 000002
【特許請求の範囲】
【請求項１】
筒体と、この筒体の側面に位置する通し口とを備えており、
この筒体が、ボトルに装着されうるボトル嵌合部と、ディスペンサーが装着されるポンプ嵌合部とを備えており、
このポンプ嵌合部が、このボトル嵌合部の上に配置されており、
この通し口が、この筒体の上部から下部までが一続きとされている高粘度液体用容器のスペーサー。
【請求項２】
上記通し口のボトル側開口幅に対するポンプ側開口幅の比が、１．０以上３．０以下である請求項１に記載のスペーサー。
【請求項３】
上記ポンプ側開口幅が、５ｍｍ以上３０ｍｍ以下である請求項１又は２に記載のスペーサー。
【請求項４】
上記ポンプ嵌合部が、その外面に雄ネジを備えており、
上記ボトル嵌合部が、その内面に雌ネジを備えている請求項１から３のいずれかに記載のスペーサー。
【発明の詳細な説明】
【技術分野】
【０００１】
本発明は、高粘度液体用容器のスペーサーに関する。
【背景技術】
【０００２】
シャンプーの容器には、そのボトルの内容量が５００ｃｍ３から７００ｃｍ３とされた大容量タイプのプラスチックボトルが用いられている。このようなボトルには、液体排出用にディスペンサーが取り付けられている。このディスペンサーは、アキュームレーターと誘導管とを備えている。
【０００３】
このボトルでは、ディスペンサーのサドルヘッドが上下されるだけで、ボトルの内部からシャンプーが排出される。このボトルの場合、シャンプーが排出されるために、注ぎ口が下にされる必要はない。なお、リンス、トリートメント、コンディショナー、ボディーソープ、ハンドソープ等の液体においても、同様のプラスチックボトルが用いられる。
【発明の開示】
【発明が解決しようとする課題】
【０００４】
大容量タイプのプラスチックボトルでは、そのディスペンサーに備えられる誘導管の表面及び内部にシャンプーが付着している。誘導管にシャンプーが付着しているので、その全量が使い切れないという問題がある。
【０００５】
ディスペンサーがボトルから取り外され、その誘導管がボトルの外に出されたとき、付着しているシャンプーが垂れて、ボトル表面及び浴室の床等に付着してしまう。これに加えて、シャンプーの粘度は高いので、付着しているシャンプーが誘導管から除かれるためには時間がかかるという問題がある。
【０００６】
同様の問題は、生活関連資材として用いられるリンス、トリートメント、コンディショナー、ボディーソープ、ハンドソープ等の液体においても起きている。
【０００７】
本発明の目的は、ディスペンサーと容器との間に装着でき、ディスペンサーの誘導管に付着している液体の除去が促されるスペーサーの提供。
【課題を解決するための手段】
【０００８】
本発明に係る高粘度液体用容器のスペーサーは、筒体と、この筒体の側面に位置する通し口とを備えている。この筒体は、ボトルに装着されうるボトル嵌合部と、ディスペンサーが装着されるポンプ嵌合部とを備えている。このポンプ嵌合部は、このボトル嵌合部の上に配置されている。この通し口は、この筒体の上部から下部までが一続きとされている。
【０００９】
好ましくは、このスペーサーでは、上記通し口のボトル側開口幅に対するポンプ側開口幅の比は、１．０以上３．０以下である。
【００１０】
好ましくは、このスペーサーでは、上記ポンプ側開口幅は、５ｍｍ以上３０ｍｍ以下である。
【００１１】
好ましくは、このスペーサーでは、上記ポンプ嵌合部は、その外面に雄ネジを備えている。上記ボトル嵌合部は、その内面に雌ネジを備えている。
【発明の効果】
【００１２】
このスペーサーは、通し口を備えているので、ディスペンサーの誘導管の全てがボトルの外に出されることなく、誘導管はその側方からスペーサーに挿入され、ボトルとディスペンサーとの間に装着されうる。このスペーサーの装着により、誘導管の下端が上がるので、誘導管全体が液面から上にある状態で保持されうる。この状態で静置されたボトルでは、付着している液体の全てが誘導管から除かれるので、その誘導管がボトルの外に出されても、液体がボトルの外側で滴ることはない。したがって、使用者がその液体の全量を使い切ることが、可能となる。
【発明を実施するための最良の形態】
【００１３】
以下、適宜図面が参照されつつ、好ましい実施形態に基づいて本発明が詳細に説明される。
【００１４】
図１は、本発明の一実施形態に係る高粘度液体用容器のスペーサー２が示された斜視図である。このスペーサー２は、筒体４と通し口６とを備えている。この筒体４は、ボトルに装着されうるボトル嵌合部８と、ディスペンサーが装着されるポンプ嵌合部１０とを備えている。このスペーサー２は、ボトルと、このボトルに取り付けられるディスペンサーとの間に装着される。
【００１５】
ポンプ嵌合部１０は、本体１２と、雄ネジ１４と、一対の側方端面１６とからなる。この雄ネジ１４は、この本体１２の外面に備えられている。この雄ネジ１４は、ディスペンサーのキャップに備えられる雌ネジに適合している。この側方端面１６は鉛直方向に起立している。そして、この左右の側方端面１６は、互いに平行な位置関係にある。
【００１６】
ボトル嵌合部８は、本体１８と、台座２０と、雌ネジ２２と、一対の側方端面２４とからなる。台座２０は、この本体１８の上部に位置している。この台座２０の上に、ポンプ嵌合部１０は配置されている。この雌ネジ２２は、本体１８の内面に位置している。この雌ネジ２２は、このボトルのネックに備えられる雄ネジに適合している。この側方端面２４は、鉛直方向に起立している。そして、この左右の側方端面２４は、互いに平行な位置関係にある。なお、このボトル嵌合部８の外面には、使用者の掴みやすさが考慮されて、ローレット加工がなされている。
【００１７】
通し口６は、この筒体４の側面に位置している。この通し口６は、この筒体４の上部から下部までが一続きとされている。この通し口６は、ポンプ嵌合部１０及びボトル嵌合部８の左右の側方端面１６、２４に挟まれている。ディスペンサーの誘導管は、この通し口６を通じてスペーサー２の側方からその内側に挿入される。
【００１８】
図２は、ディスペンサー２６の付いたプラスチックボトル２８に装着された状態にある図１のスペーサー２が示された斜視図である。この図２には、スペーサー２とディスペンサー２６とプラスチックボトル２８とが示されている。スペーサー２は、ディスペンサー２６とボトル２８との間に装着されている。ボトル２８内の液体３０の残量が少なくなると、このスペーサー２がボトル２８に装着される。ボトル２８にスペーサー２が装着されると、液体３０に浸されていた誘導管３２の下端は、これが装着されない場合に比べて、上方に上がる。したがって、このボトル２８は、誘導管３２の下端がその液面よりも上に位置する状態で静置されうる。この状態で静置されたボトル２８では、付着している液体３０の全てが誘導管３２から除かれる。したがって、この誘導管３２がボトル２８の外に出されても、液体３０がボトル２８の外側で滴ることはない。
【００１９】
このスペーサー２のプラスチックボトル２８への装着方法は、次の通りである。まず、ディスペンサー２６に備えられるキャップ３４が回されて、ディスペンサー２６がボトル２８から外される。次いで、ディスペンサー２６が把持されて、上方に持ち上げられる。この時、ディスペンサー２６の誘導管３２の一部が、ボトル２８の外に出る。そして、この誘導管３２が、通し口６を通じて、スペーサー２の内側に入れられる。この後、ボトル嵌合部８が、ボトル２８のネック３６にねじ込まれる。最後に、ディスペンサー２６のキャップ３４が、ポンプ嵌合部１０にねじ込まれる。このようにして、スペーサー２は、ディスペンサー２６とボトル２８との間に装着される。誘導管３２はスペーサー２の側方から通し口６を通じてその内部に挿入されるので、誘導管３２の全体がボトル２８の外に出ることはない。したがって、誘導管３２に付着している液体３０が、ボトル２８の外側で滴ることはない。
【００２０】
図３（ａ）は図１のスペーサー２の上面図であり、図３（ｂ）はその底面図である。この図３において、点ＰＡはこの通し口６の上側に位置するポンプ側端部である。点ＰＢは、この通し口６の下側に位置するボトル側端部である。両矢印線ＷＡは、通し口６のポンプ側開口幅を表している。このポンプ側開口幅ＷＡは、左右のポンプ側端部ＰＡの間の距離である。両矢印線ＷＢは、通し口６のボトル側開口幅を表している。このボトル側開口幅ＷＢは、左右のボトル側端部ＰＢの間の距離である。このスペーサー２では、下向きに先細りとされた誘導管３２の形状が考慮されて、ポンプ側開口幅ＷＡはボトル側開口幅ＷＢよりも広い。前述したように、ポンプ嵌合部８の左右の側方端面１６及びボトル嵌合部１０の左右の側方端面２４は互いに平行な位置関係にあるので、左右の側方端面１６、２４の間の距離がその内側から外側に向かって大きくなる構成とされたスペーサーに比べて、このスペーサー２ではポンプ嵌合部８の外面に備えられる雄ネジ１４及びボトル嵌合部１０の内面に備えられる雌ネジ２２の周長が長くできる。したがって、このスペーサー２は、ボトル２８との嵌合性に優れる。
【００２１】
この通し口６のボトル側開口幅ＷＢに対するポンプ側開口幅ＷＡの比（ＷＡ／ＷＢ）は、１．０以上３．０以下である。この比（ＷＡ／ＷＢ）が１．０以上に設定されることにより、誘導管３２のスペーサー２への挿通性が向上する。この観点から、この比（ＷＡ／ＷＢ）は１．２以上がより好ましく、１．５以上が特に好ましい。この比（ＷＡ／ＷＢ）が３．０以下に設定されることにより、ボトル嵌合部８のボトル２８への嵌合性が向上する。この観点から、この比（ＷＡ／ＷＢ）は２．８以下がより好ましく、２．５以下が特に好ましい。
【００２２】
このポンプ側開口幅ＷＡは、５ｍｍ以上３０ｍｍ以下である。この幅ＷＡが５ｍｍ以上に設定されることにより、誘導管３２のスペーサー２への挿通性が向上する。この観点から、この幅ＷＡは７ｍｍ以上がより好ましく、１０ｍｍ以上が特に好ましい。この幅ＷＡが３０ｍｍ以下に設定されることにより、ボトル嵌合部８のボトル２８への嵌合性が向上する。この観点から、この幅ＷＡは２８ｍｍ以下がより好ましく、２５ｍｍ以下が特に好ましい。
【００２３】
このスペーサー２の材質としては、ポリエチレン、ポリプロピレン、ポリエチレンテレフタレート、ポリカーボネート、ナイロン、ポリスチレン等の合成高分子が例示される。汎用性及び加工性の観点から、ポリエチレン、ポリプロピレン及びポリエチレンテレフタレートがより好ましい。なお、これらの再生材料が用いられてもよい。このスペーサー２は、前述の材料が用いられて、射出成形で製造される。
【００２４】
図４（ａ）は本発明の他の実施形態に係る高粘度液体用容器のスペーサー３８が示された上面図であり、図４（ｂ）はその底面図である。このスペーサー３８は、筒体４０と、その側面に通し口４２とを備えている。この筒体４０は、ボトル嵌合部４４と、このボトル嵌合部４４の上にポンプ嵌合部４６とを備えている。この通し口４２は、この筒体４０の上部から下部までが一続きとされている。この通し口４２は、このボトル嵌合部４４の側方端面５０とポンプ嵌合部４６の側方端面４８とが同一平面上とされた左右の側面に挟まれている。そして、この左右の側面は、互いに平行な位置関係にある。したがって、この左右の側面の間の距離がその内側から外側に向かって大きくなる構成とされたスペーサーに比べて、このスペーサー３８では、ポンプ嵌合部４６の外面に備えられる雄ネジ５２及びボトル嵌合部４４の内面に備えられる雌ネジ５４の周長が長くできる。したがって、このスペーサー３８は、ボトル２８及びディスペンサー２６との嵌合性に優れている。
【００２５】
図４において、両矢印線ＷＣはこの通し口４２のポンプ側開口幅を表している。この通し口４２の両矢印線ＷＤは、ボトル側開口幅を表している。このスペーサー３８では、ボトル側開口幅ＷＤに対するポンプ側開口幅ＷＣの比（ＷＣ／ＷＤ）は１．０である。このポンプ側開口幅ＷＣは、５ｍｍ以上３０ｍｍ以下である。
【００２６】
図５は、本発明のさらに他の実施形態に係る高粘度液体用容器のスペーサー５６が示された斜視図である。このスペーサー５６も、筒体５８と、その側面に通し口６０とを備えている。この筒体５８も、ボトル嵌合部６２と、このボトル嵌合部６２の上にポンプ嵌合部６４とを備えている。この通し口６０も、この筒体５８の上部から下部までが一続きとされている。この通し口６０は、ポンプ嵌合部６４の側方端面６６とボトル嵌合部６２の側方端面６８とが同一平面上とされた左右の側面に挟まれている。この左右の側面は、その側面間距離がポンプ側からボトル側にかけて漸減する位置関係で構成されている。このスペーサー５６のポンプ嵌合部６４には、雄ネジ５２が備えられていない。そのボトル嵌合部６２にも、雌ネジ５４が備えられていない。このスペーサー５６は、キャップ式である。
【００２７】
図５において、両矢印線ＷＥはこの通し口６０のポンプ側開口幅を表している。両矢印線ＷＦは、ボトル側開口幅を表している。このスペーサー５６においても、ボトル側開口幅ＷＦに対するポンプ側開口幅ＷＥの比（ＷＥ／ＷＦ）は１．０以上３．０以下である。このポンプ側開口幅ＷＥは、５ｍｍ以上３０ｍｍ以下である。
【産業上の利用可能性】
【００２８】
本発明に係る高粘度液体用容器のスペーサーは、種々のプラスチックボトルに取り付けられる。
【図面の簡単な説明】
【００２９】
【図１】図１は、本発明の一実施形態に係る高粘度液体用容器のスペーサーが示された斜視図である。
【図２】図２は、図１のスペーサーが装着された状態にあるディスペンサー付プラスチックボトルが示された斜視図である。
【図３】図３（ａ）は図１のスペーサーの上面図であり、図３（ｂ）はその底面図である。
【図４】図４（ａ）は本発明の他の実施形態に係る高粘度液体用容器のスペーサーが示された上面図であり、図４（ｂ）はその底面図である。
【図５】図５は、本発明のさらに他の実施形態に係る高粘度液体用容器のスペーサーが示された斜視図である。
【符号の説明】
【００３０】
２、３８、５６・・・スペーサー
４、４０、５８・・・筒体
６、４２、６０・・・通し口
８、４４、６２・・・ボトル嵌合部
１０、４６、６４・・・ポンプ嵌合部
１２、１８・・・本体
１４、５２・・・雄ネジ
１６、２４、４８、５０、６６、６８・・・側方端面
２０・・・台座
２２、５４・・・雌ネジ
２６・・・ディスペンサー
２８・・・ボトル
３０・・・液体
３２・・・誘導管
３４・・・キャップ
３６・・・ネック
【図１】
2006264729.tif 000003
【図２】
2006264729.tif 000004
【図３】
2006264729.tif 000005
【図４】
2006264729.tif 000006
【図５】
2006264729.tif 000007